(57)【要約】【課題】木部材の交差部に設ける補強金物が熱橋になることによる結露や錆等の発生を防止できると共に、気密性や断熱性能を向上させることができる補強金物および補強金物を用いた木部材の補強構造を提供する。【解決手段】この補強金物１は、一方の木部材の側面に固定するための固定ボルト１２が挿入される第１ボルト孔１１ａ１と、その第１ボルト孔１１ａ１とはほぼ垂直方向を向く第２ボルト孔１１ａ２が設けられた羽子板部１１と、軸部１３ａの先端部は第２ボルト孔１１ｂ１に挿入されナット１４により固定される一方、軸部１３ａの基端部にはボルト頭部１３ａ２が設けられた連結ボルト１３と、連結ボルト１３の軸部１３ａが嵌まると共にボルト頭部１３ａ２が切欠部周縁に当接する切欠部１５ａを有し、他方の木部材の側面に形成された収容溝に収容される座金１５とを有する。【選択図】図１
2013113038.tif 000002
【特許請求の範囲】
【請求項１】
木部材の交差部に設置される補強金物において、
一方の木部材の側面に固定するための固定ボルトが挿入される第１ボルト孔と、その第１ボルト孔に対しほぼ垂直方向を向く第２ボルト孔が設けられた羽子板部と、
軸部の先端部には第２ボルト孔に挿入されナットが螺合するネジ部が設けられている一方、軸部の基端部には軸部より径が大きいボルト頭部が設けられた連結ボルトと、
連結ボルトの軸部の外径以上でボルト頭部の外径より小さい幅の切欠部を有し、他方の木部材の側面に形成された収容溝に収容される座金とを有することを特徴とする補強金物。
【請求項２】
請求項１記載の補強金物を用いた木部材の補強構造において、
他方の木部材には、座金を収容する収容溝が形成されていると共に、連結ボルトに対向する側面に連結ボルトのボルト頭部を挿通させ、収容溝を横断した位置まで到達させる挿通孔が形成されており、
他方の木部材の挿通孔に連結ボルトのボルト頭部を挿入し、収容溝から座金を挿入して、座金の切欠部を連結ボルトの軸部に嵌める一方、第１ボルト孔から固定ボルトを通して一方の木部材の側面に羽子板部を固定し、
最後に羽子板部の第２ボルト孔から突出する連結ボルト先端部のネジ部をナットにより締め付けることを特徴とする補強金物を用いた木部材の補強構造。
【発明の詳細な説明】
【技術分野】
【０００１】
本発明は、桁と梁や、梁同士、柱と胴差し等の木部材の交差部に設置され、交差する木部材を強固に連結する補強金物および補強金物を用いた木部材の補強構造に関する。
【背景技術】
【０００２】
従来、羽子板ボルト等の補強金物を用いた木部材の補強構造として、例えば、補強金物の本体部の先端部は、桁の外表面まで達することなく桁の内部で停止する深さで桁に挿入し、補強金物の本体部の穴に桁を貫通するボルトを通して、桁の上下側面を座金を介してナットにより締め付けることにより、補強金物が外部に露出しないようにした構造や（例えば、特許文献１参照。）、羽子板部は梁に固定する一方、連結ボルトを介して羽子板部に対向する側に設けられた固定板を桁に設けた外部に露出した嵌合孔に固定するようにした構造がある（例えば、特許文献２参照。）。
【先行技術文献】
【特許文献】
【０００３】
【特許文献１】特許第４７７６０４２号公報
【特許文献２】実用新案登録第３１０１７２５号公報
【発明の概要】
【発明が解決しようとする課題】
【０００４】
しかし、上述の特許文献１，２に記載された従来の補強構造では、補強金具の一部が室外または外壁側に露出されて外気に触れる構成および使用方法となっており、室外と室内と間の温度差により補強金物が熱橋（ヒートブリッジ）となり、室内側で結露が生じ、補強金物が錆びたり、補強金物に接している木部材が腐食し易いという問題がある。例えば、特許文献１の従来の補強金物では、補強金物の本体部を桁の中に固定するボルトの両端部や、座金およびナットが外部に露出する一方、特許文献２の従来の補強構造では、固定板等が外部に露出しており、その補強金物が熱橋となることにより、補強金物が錆びたり、補強金物に接している木部材が腐食し易い。また、両者共に貫通孔を介して室外に金具の一部が露出する構成となっているため、その貫通孔より外気が室内に侵入する場合があり、室内の気密性が保たれず、断熱性の点でも問題が残る。特に、特許文献１の従来技術では、上下に貫通ボルトを設けているため、外気に露出するボルトやナットの表面積が大きくなり、熱橋の影響が大きくなる。
【０００５】
そこで、本発明は、このような問題点に着目してなされたもので、木部材の交差部に補強金物の一部が室外または外壁側に露出しないように取付けて、補強金物が熱橋になることによる結露や錆等の発生を防止できると共に、気密性や断熱性能を向上させることができる補強金物および補強金物を用いた木部材の補強構造を提供することを目的とする。
【課題を解決するための手段】
【０００６】
上記目的を達成するため、請求項１に記載の発明に係る補強金物は、木部材の交差部に設置される補強金物において、一方の木部材の側面に固定するための固定ボルトが挿入される第１ボルト孔と、その第１ボルト孔に対しほぼ垂直方向を向く第２ボルト孔が設けられた羽子板部と、軸部の先端部には第２ボルト孔に挿入されナットが螺合するネジ部が設けられている一方、軸部の基端部には軸部より径が大きいボルト頭部が設けられた連結ボルトと、連結ボルトの軸部の外径以上でボルト頭部の外径より小さい幅の切欠部を有し、他方の木部材の側面に形成された収容溝に収容される座金とを有することを特徴とする。これにより、座金やボルト頭部は、他方の木部材の中に収容されるので、羽子板部を一方の木部材の室内側に固定することにより、補強金物の一部が室外または外壁側に露出することがなくなり、補強金物が熱橋になることによる結露や錆等の発生を防止できると共に、気密性や断熱性能を向上させることができる。
また、請求項２に記載の発明に係る木部材の補強構造は、請求項１記載の補強金物を用いた木部材の補強構造において、他方の木部材には、座金を収容する収容溝が形成されていると共に、連結ボルトに対向する側面に連結ボルトのボルト頭部を挿通させ、収容溝を横断した位置まで到達させる挿通孔が形成されており、他方の木部材の挿通孔に連結ボルトのボルト頭部を挿入し、収容溝から座金を挿入して、座金の切欠部を連結ボルトの軸部に嵌める一方、第１ボルト孔から固定ボルトを通して一方の木部材の側面に羽子板部を固定し、最後に羽子板部の第２ボルト孔から突出する連結ボルト先端部のネジ部をナットにより締め付けることを特徴とする。これにより、座金やボルト頭部は、他方の木部材の中に収容されるので、羽子板部を一方の木部材の室内側に固定することにより、補強金物の一部が室外または外壁側に露出することがなくなり、補強金物が熱橋になることによる結露や錆等の発生を防止できると共に、気密性や断熱性能を向上させることができる。
【発明の効果】
【０００７】
本発明の補強金物および補強金物を用いた木部材の補強構造によれば、連結ボルトを介して羽子板部とは対向する座金やボルト頭部は、他方の木部材の中に収容されるので、羽子板部を一方の木部材の室内側に固定することにより、補強金物の一部が室外または外壁側に露出することがなくなり、補強金物が熱橋になることによる結露や錆等の発生を防止できると共に、気密性や断熱性能を向上させることができる。
【図面の簡単な説明】
【０００８】
【図１】本発明に係る補強金物を示す図である。
【図２】その補強金物を用いる木部材の状況を示す図である。
【図３】その補強金物を用いた木部材の補強手順を示す図である。
【図４】本発明に係る補強金物を用いた木部材の補強構造を示す図である。
【図５】本発明に係る補強金物を用いた木部材の補強構造の部分断面図である。
【発明を実施するための形態】
【０００９】
実施形態１．
図１は、本発明に係る補強金物１を示す図であって、（ａ）は分解斜視図、（ｂ）は組み立てた状態を下方から見た側面図である。図１（ａ），（ｂ）に示すように、この補強金物１は、羽子板部１１と、固定ボルト１２と、連結ボルト１３と、ナット１４と、座金１５とから構成される。羽子板部１１は、羽子板本体部１１ａと、スリーブ部１１ｂとから構成される。羽子板本体部１１ａには、一方の木部材（図２では、梁２３になる。）の側面に固定するための固定ボルト１２が挿入される第１ボルト孔１１ａ１が形成されている。また、羽子板本体部１１ａには、その第１ボルト孔１１ａ１とはほぼ垂直方向を向く第２ボルト孔１１ｂ１を有するスリーブ部１１ｂが羽子板本体部１１ａの一部を折り曲げる等して溶着されている。ここで、このスリーブ部１１ｂは、その第２ボルト孔１１ｂ１に連結ボルト１３先端部のネジ部１３ａ１が挿入され、ナット１４が螺合されるため、図１（ｂ）に示すようにナット１４が回転できる程度に、かつ、座金１５が収容溝２２ａ１に挿入され、座金１５の切欠部１５ａが連結ボルト１３の軸部１３ａに嵌まるように、羽子板本体部１１ａの平面部より浮かせた状態で溶着されている。
【００１０】
連結ボルト１３は、その軸部１３ａの先端部に、ナット１４が螺合されるようネジ部１３ａ１が形成されている一方、その軸部１３ａの基端部に、軸部１３ａよりも径の大きいボルト頭部１３ａ２が設けられている。座金１５は、連結ボルト１３の軸部１３ａの外径以上で、かつ、ボルト頭部１３ａ２の外径より小さい切欠（溝）幅の切欠部１５ａが設けられている。なお、座金１５は、次に説明する図２に示すように、他方の木部材（図２では、梁２２となる。）の側面に形成された収容溝２２ａ１に挿入される。ここで、座金１５は、図１（ａ）に示すように縦長、すなわち切欠部１５ａが延びる方向に長く、その方向に直交する方向の横幅は狭い形状が望ましい。これは、座金１５は、収容溝２２ａ１に収容された際に、横幅が狭い方が収容溝２２ａ１の開口部の面積が小さくなり、より断熱性が向上すると共に、スリーブ部１１ｂを羽子板本体部１１ａの平面部より浮かせる量（高さ）が小さくなるので、羽子板部１１の材料費が低減されると共に、安定性や強度等が向上するからである。
【００１１】
次に、木部材の交差部に上述の補強金物１を設置する手順について説明する。図２は、補強金物１により補強する木部材の交差部の一例を示す図である。図２では、柱２１の両側に接合された梁２２と梁２３との交差部に補強金物１を設置して補強する。この場合、各側面全てが室内側に露出する梁２３が本発明における一方の木部材に相当し、各側面のうち少なくとも一の側面が室外または外壁側に露出される梁２２が本発明における他方の木部材に相当する。ここで、図２に示すように、柱２１に接合されている梁２２の上側面２２ａには、図２に示すように座金１５が上方から挿入されて収容される収容溝２２ａ１が形成されている一方、補強金物１の連結ボルト１３に対向する内側面２２ｂには、連結ボルト１３のボルト頭部１３ａ２を挿通させ、収容溝２２ａ１を横断した位置まで到達させる挿通孔２２ｂ１が形成されている。なお、その内側面２２ｂに対向する側面、すなわち内側面２２ｂとは反対側の側面が室外または外壁側に位置することになる。
【００１２】
まず、図３に示すように、梁２２の内側面２２ｂの挿通孔２２ｂ１に、補強金物１の連結ボルト１３のボルト頭部１３ａ２を挿入し、その後、梁２２の上側面２２ａの収容溝２２ａ１に座金１５を挿入する。すると、座金１５が梁２２の収容溝２２ａ１に完全に収まると共に、座金１５の切欠部１５ａが連結ボルト１３の軸部１３ａに嵌まり、ボルト頭部１３ａ２が座金１５の切欠部１５ａの周縁に当り、連結ボルト１３が図上右方向の室内方向に抜けることを防止する。
【００１３】
また、連結ボルト１３のネジ部１３ａ１にスリーブ部１１ｂの第２ボルト孔１１ａ２を通し（図１参照。）、または図３に示すように予め通しておき、その状態で羽子板本体部１１ａの第１ボルト孔１１ａ１に固定ボルト１２を挿入して梁２３を貫通させ、他端側の側面において角座金１６およびナット１７により、羽子板部１１を梁２３の側面２３ａに固定する。そして、最後に、図４に示すようにスリーブ部１１ｂから突出する連結ボルト１３のネジ部１３ａ１にナット１４を螺合し締め付ける。すると、図５に示すように、連結ボルト１３のボルト頭部１３ａ２は、座金１５の切欠部１５ａの周縁に当たり、補強金物１の連結ボルト１３に引張力（テンション）が働くため、梁２２と梁２３とが補強金物１によって補強されることになる。
【００１４】
このように、補強金物１の羽子板部１１は、室内側に延びる梁２３に固定される一方、座金１５は、一の側面が室外または外壁側に配置される梁２２の収容溝２２ａ１に挿入され、連結ボルト１３のボルト頭部１３ａ２も梁２２の挿通孔２２ｂ１に挿入されるため、補強金物１の一部が室外または外壁側に露出することがなくなる。そのため、補強金物１が外気に触れ熱橋になることによる結露や錆等の発生を防止できると共に、室外または外壁側まで貫通する貫通孔もなくなるので、気密性や断熱性能を向上させることができる。特に、座金１５や連結ボルト１３のボルト頭部１３ａ２は、梁２２内に収容されるので、梁２２が断熱材の役割を果たすことになり、この点でも断熱性能が向上する。なお、より断熱性能の向上を図るため、収容溝２２ａ１に座金１５を収納後、その収容溝２２ａ１の開口部を断熱材等により埋めるようにしても良い。また、連結ボルト１３先端部のネジ部１３ａ１は、梁２３の側面２３ａに固定された羽子板部１１にナット１４により固定される一方、連結ボルト１３基端部のボルト頭部１３ａ２は、梁２２の収容溝２２ａ１に挿入された座金１５により抜け止めされるので、羽子板部１１および座金１５が十分な支圧面積を確保することが可能となり、梁２２と梁２３との間の十分な引き抜き防止効果を期待できる。
【符号の説明】
【００１５】
１…補強金物、１１…羽子板部、１１ａ…羽子板本体部、１１ａ１…第１ボルト孔、１１ｂ…スリーブ部、１１ｂ１…第２ボルト孔、１２…固定ボルト、１３…連結ボルト、１３ａ…軸部、１３ａ１…ネジ部、１３ａ２…ボルト頭部、１４…ナット、１５…座金、１５ａ…切欠部、１６…角座金、１７…ナット、２１…柱、２２…梁、２２ａ１…収容溝、２２ｂ１…挿通孔、２３…梁。
【図１】
2013113038.tif 000003
【図２】
2013113038.tif 000004
【図３】
2013113038.tif 000005
【図４】
2013113038.tif 000006
【図５】
2013113038.tif 000007